(57)【要約】【課題】光照射領域における照度むらの低減を図ること。【解決手段】複数の発光ダイオード１０２と、複数の発光ダイオード１０２の各々に対応して平面的に配置された複数の光照射部１０４とを備えている。複数の光照射部１０４は、第１の光を放射する第１の部分１０４ａと、第１の光とは異なる第２の光を放射する第２の部分１０４ｂとを含んでいる。【選択図】図３
2008153157.tif 000002
【特許請求の範囲】
【請求項１】
複数の発光ダイオードと、
第１の光を放射する第１の部分と、前記第１の光とは照射形状が異なる第２の光を放射する第２の部分とを含んでおり、前記複数の発光ダイオードの各々に対応して平面的に配置された複数の光照射部と、
を備えた照明装置。
【請求項２】
前記第１の部分は、第１曲面からなる第１の光反射面を有しており、
前記第２の部分は、前記第１の曲面とは形状が異なる第２の曲面からなる第２の光反射面を有していることを特徴とする請求項１記載の照明装置。
【請求項３】
前記第１の光反射面の前記第１の曲面が放物面であり、前記第２の光反射面の前記第２の曲面が楕円面であることを特徴とする請求項２記載の照明装置。
【請求項４】
前記第１の光反射面の表面が鏡面であり、前記第２の光反射面の表面が光反射面であることを特徴とする請求項３記載の照明装置。
【請求項５】
前記第１の光反射面の前記第１の曲面が放物面であり、前記第２の光反射面の前記第２の曲面が双曲面であることを特徴とする請求項２記載の照明装置。
【請求項６】
前記第１の光反射面の表面が鏡面であり、前記第２の光反射面の表面が光反射面であることを特徴とする請求項５記載の照明装置。
【請求項７】
前記複数の光反射部が、前記第１の光および前記第２の光とは異なる第３の光を放射する第３の部分をさらに備えていることを特徴とする請求項１記載の照明装置。
【請求項８】
前記複数の光照射部は、放物面からなる第１の光反射面を有する前記第１の部分と、楕円面からなる第２の光反射面を有する前記第２の部分と、双曲面からなる第３の光反射面を有する前記第３の部分とを含むことを特徴とする請求項７記載の照明装置。
【請求項９】
前記第１の光反射面の表面が鏡面であり、前記第２の光反射面の表面および前記第３の光反射面の表面が光反射面であることを特徴とする請求項８記載の照明装置。
【請求項１０】
前記複数の光照射部のうち前記第１の部分は光照射領域に対して平行光を放射して、前記複数の光照射部のうち前記第２の部分は光照射領域に対して環状光を放射することを特徴とする請求項１記載の照明装置。
【請求項１１】
前記複数の光照射部のうち前記第１の部分は光照射領域に対して平行光を放射して、前記複数の光照射部のうち前記第２の部分は光照射領域に対して拡散光を放射することを特徴とする請求項１記載の照明装置。
【請求項１２】
前記複数の光照射部は、第１の表面からなる第１の光反射面を有する前記第１の部分と、前記第１の表面とは異なる第２の表面からなる第２の光反射面を有する前記第２の光照射部とを含むことを特徴とする請求項１記載の照明装置。
【請求項１３】
前記第１の光反射面の前記第１の表面が鏡面であり、前記第２の光反射面の前記第２の表面が光散乱面であることを特徴とする請求項１２記載の照明装置。
【請求項１４】
前記複数の発光ダイオードが搭載された基体をさらに備えており、
前記複数の発光ダイオードのうち前記複数の光照射部の前記第２の部分に対応する第２の発光ダイオードが、前記複数の発光ダイオードのうち前記複数の光照射部の前記第１の部分に対応する第１の発光ダイオードと異なる高さ位置に搭載されていることを特徴とする請求項１記載の照明装置。
【請求項１５】
前記複数の光照射部の前記第２の部分が、環状光を照射する光学部材を備えていることを特徴とする請求項１記載の照明装置。
【請求項１６】
前記複数の光照射部の前記第２の部分が、光を拡散させて照射する光学部材を備えていることを特徴とする請求項１記載の照明装置。
【請求項１７】
可視光を放射する発光手段と、
前記発光手段から放射された前記可視光を光照射領域に対して平行に照射する第１の手段と、
前記発光手段から放射された前記可視光を前記光照射領域に対して環状に照射する第２の手段と、
を備えた照明装置。
【請求項１８】
前記可視光を前記光照射領域に対して環状に照射する第２の手段は、前記発光手段から放射された前記可視光を前記光照射領域に対して環状に反射することを特徴とする請求項１７記載の照明装置。
【請求項１９】
可視光を放射する発光手段と、
前記発光手段から放射された前記可視光を光照射領域に対して平行に照射する第１の手段と、
前記発光手段から放射された前記可視光を前記光照射領域に対して拡散させて照射する第２の手段と、
を備えた照明装置。
【発明の詳細な説明】
【技術分野】
【０００１】
本発明は、発光ダイオードを用いた照明装置に関するものである。
【背景技術】
【０００２】
近年において、発光ダイオードを用いた照明装置が開発されてきている。この発光ダイオードを用いた照明装置は、小型化および長寿命化を図ることができることから、今後の照明器具として期待されている。
【０００３】
これまで開発されてきた発光ダイオードの照明装置の中には、複数の発光ダイオードが搭載された構成のものがある。このような照明装置は、複数の発光ダイオードによって発生された光を所定領域に照射させるものである。
【特許文献１】特開２００６−０４９７１５号公報
【発明の開示】
【発明が解決しようとする課題】
【０００４】
今後、発光ダイオードを用いた照明装置については、光照射領域における照度むらを低減させることが求められている。特に、複数の発光ダイオードを用いた照明装置においては、光照射領域における照度むらの低減を図ることの必要性が高い。
【０００５】
本発明は、このような課題に鑑みて案出されたものであり、光照射領域における照度むらの低減を図ることを目的とする。
【課題を解決するための手段】
【０００６】
本発明は、複数の発光ダイオードと、複数の発光ダイオードの各々に対応して平面的に配置された複数の光照射部とを備えている。複数の光照射部は、第１の光を放射する第１の部分と、第１の光とは照射形状の異なる第２の光を放射する第２の部分とを含んでいる。
【発明の効果】
【０００７】
本発明は、第１の光を放射する第１の部分と、第１の光とは異なる第２の光を放射する第２の部分とを含んだ複数の光照射部を備えていることにより、光照射領域における照度むらを低減させることができる。
【発明を実施するための最良の形態】
【０００８】
本発明の照明装置の実施の形態について、図面を参照して詳細に説明する。
【０００９】
（第１の実施の形態）図１〜６を用いて第１の実施の形態に係る照明装置について説明する。図１は、本発明の第１の実施の形態の構成を示す分解斜視図である。図２は、第１の実施の形態に係る照明装置の平面図である。図３は、図２に示した照明装置のＸ−Ｘ’線における断面図である。図４は、第１の実施の形態に係る照明装置の光照射領域を示す図である。図５は、第１の光照射部１０４ｂによる光照射領域を示す図である。図６は、発光ダイオードの構成を示す断面図である。
【００１０】
本実施の形態における照明装置は、基体１０１と、基体１０１に搭載された複数の発光ダイオード１０２と、複数の発光ダイオード１０２に対応して平面的に配置された複数の光放射部１０４を有する光反射部材１０３とを備えている。
【００１１】
図１に示した照明装置において、基体１０１は、平板形状を有しており、複数の発光ダイオード１０２に電気的に接続された配線導体が形成されている。基体１０１の配線導体は、電源線１０５に電気的に接続されている。
【００１２】
複数の発光ダイオード１０２は、基体１０１に実質的に直接実装された複数の発光ダイオード素子である場合と、各々発光ダイオード素子が搭載された複数の発光ダイオードランプである場合とがある。図１〜６に示した複数の発光ダイオード１０２は、各々発光ダイオード素子が搭載された複数の発光ダイオードランプである。
【００１３】
ここで、図６を用いて、発光ダイオード（発光ダイオードランプ）１０２について説明する。発光ダイオード（発光ダイオードランプ）１０２は、基体１０２ａと、基体１０２ａに搭載された発光ダイオード素子１０２ｂと、発光ダイオード素子１０２ｂから放射された光の波長を変換する部材１０２ｃとを備えている。
【００１４】
基体１０２ａは、平板形状のもの、または、反射面を有するパッケージである。図６に示した発光ダイオードランプ１０２は、発光ダイオード素子１０２ｂによって発生された光を反射する面を有するパッケージである。発光ダイオード素子１０２ｂは、青色または紫外光を発生する半導体ダイオード素子である。波長変換部材１０２ｃは、透光性を有するベース材料と、ベース材料に含有されており発光ダイオード素子１０２ｂによって励起される蛍光材料とからなる。ここで、波長変換部材１０２ｃのベース材料における透光性とは、発光素子１０２ｂによって発生された光の波長の少なくとも一部が透過できることをいう。発光ダイオード（発光ダイオードランプ）１０２は、混合光である白色の光を放射する。発光ダイオード１０２は、複数の可視光からなる混合光を放射する機能を有する。
【００１５】
光反射部材１０３は、基体１０１に固定されており、複数の発光ダイオード１０２に対応して平面的に配置された複数の光照射部１０４を有している。図２に示すように、複数の光照射部１０４は、第１の光を照射する第１の部分（第１の光照射部）１０４ａと、第１の光とは照射形状の異なる第２の光を照射する第２の部分（第２の光照射部）１０４ｂとからなる。図２に示した照明装置において、光反射部材１０３は、複数の第１の光照射部１０４ａと、複数の第２の光照射部１０４ｂとを有している。第２の光照射部１０４ｂは、複数の第１の光照射部１０４ａによって囲まれている。
【００１６】
ここで、図３を用いて、本実施の形態における複数の光照射部１０４について詳細に説明する。本実施の形態における複数の光照射部１０４は、第１の曲面からなる第１の光反射面１０６ａを有する第１の部分（第１の光照射部）１０４ａと、第１の曲面とは異なる第２の曲面からなる第２の光反射面１０６ｂを有する第２の部分（第２の光放射部）１０４ｂとを含んでいる。
【００１７】
本実施の形態における光反射部材１０３は、底部に開口を有する第１の光反射面１０６ａと、底部に開口を有する第２の光反射面１０６ｂとを備えている。複数の発光ダイオード１０２の各々は、第１の光反射面１０６ａの開口または第２の光反射面１０６ｂの開口に対応して配置されている。
【００１８】
図３に示した照明装置において、第１の光反射面１０６ａの第１の曲面とは放物面である。ここで、放物面とは、放物線（２次関数）をその軸の回りに回転させて得られる曲面のことをいう。第１の光照射部１０４aに対応する発光ダイオード１０２は、この放物面の焦点に配置されている。第１の光反射面１０６ａは、発光ダイオード１０２から出力された光を、光照射領域に対して平行に反射する。すなわち、第１の光照射部１０４ａは、光照射領域に対して平行光を照射する（第１の光照射手段）。
【００１９】
図３に示した照明装置において、第２の光反射面１０６ｂの第２の曲面とは楕円面である。ここで、楕円面とは、楕円体を囲む面のことをいう。第２の光反射面１０６ｂは、発光ダイオード１０２から出力された光を、光照射領域に対して中心部よりも周辺部の照度が強くなるように反射する（環状に反射する手段）。すなわち、第２の光照射部１０４ｂは、光照射領域に対して、環状光を照射する（第２の光照射手段）。ここで、環状光とは、光照射領域における中央部より外周部の方が照度の強い光のことをいい、照度が強い領域（外周部）が環状になっている光のことをいう。このように、第２の光照射部１０４ｂは、第１の光照射部１０４ａから出力される光とは照射形状の異なる光を放射する。
【００２０】
第２の光照射部１０４ｂの光照射領域について図５を用いて説明する。図５に示すように、第２の光照射部１０４ｂから放射された光は、中央部１０４Ｂ（１）と外周部１０４Ｂ（２）との２つの光照射領域を有する。本実施の形態における第２の光照射部１０４ｂにおいて、光照射領域の外周部１０４Ｂ（２）の照度は、光照射領域の中央部１０４Ｂ（１）の照度より強い。このように、本実施の形態における第２の光照射部１０４ｂは環状光を放射する。
【００２１】
図３に示した照明装置において、第１の光反射面１０６ａは鏡面であり、第２の光反射面１０６ｂは光散乱面である。すなわち、第２の光反射面の表面は、第１の光反射面の表面より粗い。図３に示した照明装置は、第２の光反射面１０６ａが光散乱面であることにより、光照射領域における照度むらが低減されている。
【００２２】
本実施の形態の照明装置は、第１の光照射部１０４ａから照射された平行光と、第２の光照射部１０４ｂから照射された光とが混合されて、光照射領域における光照射むらが低減されている。すなわち、本実施の形態の照明装置は、図４に示すように、第１の光照射部１０４ａから出力された平行光の照射領域１０４Ａと、第２の光照射部１０４ｂから出力された環状光の照射領域１０４Ｂとが重なって、光照射領域の全体における照度むらが低減されている。
【００２３】
上述のように、本実施の形態の照明装置は、複数の光照射部１０４の第１の光照射部１０４ａから放射された第１の光と、複数の光照射部１０４の第２の光照射部１０４ｂから放射された第２の光とによって、光照射領域に対して照度むらを低減させた照明光を出力する。
【００２４】
（第２の実施の形態）図７，８を用いて第２の実施の形態に係る照明装置について説明する。図７は、本発明の第２の実施の形態の構成を示す断面図である。図８は、第２の実施の形態に係る照明装置の光照射領域を示す図である。
【００２５】
本実施の形態における照明装置は、基体１０１と、基体１０１に搭載された複数の発光ダイオード１０２と、複数の発光ダイオード１０２に対応して平面的に配置された複数の光放射部１０４を有する光反射部材１０３とを備えている。
【００２６】
本実施の形態の照明装置において、図３などに示した第１の実施の形態の照明装置の構成と異なる点は、複数の光照射部１０４が、放物面からなる第１の光反射面２０６ａを有する第１の光照射部１０４ａと、双曲面からなる第２の光反射面２０６ｂを有する第２の光照射部１０４ｂとを含んでいることである。本実施の形態における照明装置の他の構成は、図３などに示した第１の実施の形態の照明装置の構成と同様である。本実施の形態の照明装置において、第１の実施の形態の照明装置と同様の構成には同一の符号を付している。
【００２７】
本実施の形態の照明装置において、第２の光反射面２０６ｂは双曲面からなる。ここで、双曲面とは、双曲線をその対称軸回りに回転させることで得られる曲面のことをいう。第２の光反射面２０６ｂは、発光ダイオード１０２から出力された光を、光照射領域に対して中心部よりも周辺部の照度が強くなるように反射する（環状に反射する手段）。すなわち、第２の光照射部１０４ｂは、光照射領域に対して、環状光を照射する（第２の光照射手段）。
【００２８】
第２の光照射部１０４ｂの光照射領域について図８を用いて説明する。図８に示すように、第２の光照射部１０４ｂから放射された光は、中央部２０４Ｂ（１）と外周部２０４Ｂ（２）との２つの光照射領域を有する。本実施の形態における第２の光照射部１０４ｂにおいて、光照射領域の外周部２０４Ｂ（２）の照度は、光照射領域の中央部２０４Ｂ（１）の照度より強い。このように、本実施の形態における第２の光照射部１０４ｂは環状光を放射する。
【００２９】
図７に示した照明装置において、第１の光反射面２０６ａは鏡面であり、第２の光反射面２０６ｂは光散乱面である。すなわち、第２の光反射面２０６ｂの表面は、第１の光反射面２０６ａの表面より粗い。図７に示した照明装置は、第２の光反射面２０６ｂが光散乱面であることにより、光照射領域における照度むらが低減されている。
【００３０】
本実施の形態の照明装置は、第１の光照射部１０４ａから照射された平行光と、第２の光照射部１０４ｂから照射された光とが混合されて、光照射領域における光照射むらが低減されている。すなわち、本実施の形態の照明装置は、図８に示すように、第１の光照射部１０４ａから出力された平行光の照射領域１０４Ａと、第２の光照射部１０４ｂから出力された環状光の照射領域２０４Ｂとが重なって、光照射領域の全体における照度むらが低減されている。
【００３１】
上述のように、本実施の形態の照明装置は、複数の光照射部１０４の第１の光照射部１０４ａから放射された第１の光と、複数の光照射部１０４の第２の光照射部１０４ｂから放射された第２の光とによって、光照射領域に対して照度むらを低減させた照明光を出力する。
【００３２】
（第３の実施の形態）図９，１０を用いて第３の実施の形態に係る照明装置について説明する。図９は、本発明の第３の実施の形態の構成を示す断面図である。図１０は、本発明の第３の実施の形態における基体１０１の構成を示す斜視図である。
【００３３】
本実施の形態における照明装置は、基体１０１と、基体１０１に搭載された複数の発光ダイオード１０２と、複数の発光ダイオード１０２に対応して平面的に配置された複数の光放射部１０４を有する光反射部材１０３とを備えている。
【００３４】
本実施の形態の照明装置において、図３などに示した第１の実施の形態の照明装置の構成と異なる点は、複数の発光ダイオード１０２のうち複数の光照射部の第２の部分（第２の光照射部）１０４ｂに対応する第２の発光ダイオード１０２が、複数の発光ダイオード１０２のうち複数の光照射部の第１の部分（第１の光照射部）１０４ａに対応する第１の発光ダイオード１０２とは異なる高さ位置に搭載されていることである。光反射部材１０３は、放物面からなる光反射面３０６を有している。本実施の形態における照明装置の他の構成は、図３などに示した第１の実施の形態の照明装置の構成と同様である。本実施の形態の照明装置において、第１の実施の形態の照明装置と同様の構成には同一の符号を付している。
【００３５】
図１０に示すように、本実施の形態における基体１０１は、第２の光照射部１０４ｂに対応する発光ダイオード１０２が搭載される領域に凸部１０１ａを有している。第２の光照射部１０４ｂに対応する発光ダイオード１０２は、基体１０１の凸部１０１ａ上に搭載されており、第１の光照射部１０４ａに対応する発光ダイオード１０２とは異なる高さ位置に設けられている。
【００３６】
本実施の形態における照明装置は、第１の光照射部１０４ａに対応する発光ダイオード１０２が放物面からなる光反射面３０６の焦点に配置されており、第２の光照射部１０４ｂに対応する発光ダイオード１０２が放物面からなる光反射面３０６の焦点からずれた位置に設けられている。本実施の形態の照明装置は、このような構成により、第１の光照射部１０４ａからは光照射領域に対して平行光を放射して、第２の光照射部１０４ｂからは光照射領域に対して環状光を放射する。
【００３７】
本実施の形態の照明装置は、第１の実施の形態の照明装置と同様、図４に示すように、第１の光照射部１０４ａから照射された平行光と、第２の光照射部１０４ｂから照射された環状光とが混合されて、光照射領域における光照射むらが低減されている。すなわち、本実施の形態の照明装置は、第１の実施の形態の照明装置と同様に、第１の光照射部１０４ａから出力された平行光の照射領域１０４Ａと、第２の光照射部１０４ｂから出力された環状光の照射領域１０４Ｂとが重なって、光照射領域の全体における照度むらが低減されている。
【００３８】
上述のように、本実施の形態の照明装置は、複数の光照射部１０４の第１の光照射部１０４ａから放射された第１の光と、複数の光照射部１０４の第２の光照射部１０４ｂからし放射された第２の光とによって、光照射領域に対して照度むらを低減させた照明光を出力する。
【００３９】
（第４の実施の形態）図１１を用いて第４の実施の形態に係る照明装置について説明する。図１１は、本発明の第４の実施の形態の構成を示す断面図である。
【００４０】
本実施の形態における照明装置は、基体１０１と、基体１０１に搭載された複数の発光ダイオード１０２と、複数の発光ダイオード１０２に対応して平面的に配置された複数の光放射部１０４を有する光反射部材１０３とを備えている。
【００４１】
本実施の形態の照明装置において、図３などに示した第１の実施の形態の照明装置の構成と異なる点は、第２の光照射部１０４ｂが光を環状に照射する光学部材４０７を備えていることである。光学部材４０７は、第２の光照射部１０４ｂに対応する発光ダイオード１０２から放射された光を光照射領域に対して環状に放射する。
【００４２】
本実施の形態の照明装置は、第１の実施の形態の照明装置と同様、図４に示すように、第１の光照射部１０４ａから照射された平行光と、第２の光照射部１０４ｂから照射された環状光とが混合されて、光照射領域における光照射むらが低減されている。すなわち、本実施の形態の照明装置は、第１の実施の形態の照明装置と同様に、第１の光照射部１０４ａから出力された平行光の照射領域１０４Ａと、第２の光照射部１０４ｂから出力された環状光の照射領域１０４Ｂとが重なって、光照射領域の全体における照度むらが低減されている。
【００４３】
上述のように、本実施の形態の照明装置は、複数の光照射部１０４の第１の光照射部１０４ａから放射された第１の光と、複数の光照射部１０４の第２の光照射部１０４ｂからし放射された第２の光とによって、光照射領域に対して照度むらを低減させた照明光を出力する。
【００４４】
（第５の実施の形態）図１２，１３を用いて第５の実施の形態に係る照明装置について説明する。図１２は、本発明の第５の実施の形態の構成を示す断面図である。図１３は、第５の実施の形態に係る照明装置の光照射領域を示す図である。
【００４５】
本実施の形態における照明装置は、基体１０１と、基体１０１に搭載された複数の発光ダイオード１０２と、複数の発光ダイオード１０２に対応して平面的に配置された複数の光放射部１０４を有する光反射部材１０３とを備えている。
【００４６】
本実施の形態の照明装置において、図３などに示した第１の実施の形態の照明装置の構成と異なる点は、第２の光照射部１０４ｂが光を拡散させて照射する光学部材５０７を備えていることである。光学部材５０７は、第２の光照射部１０４ｂに対応する発光ダイオード１０２から放射された光を光照射領域に対して拡散させて放射する。
【００４７】
本実施の形態の照明装置は、図１３に示すように、第１の光照射部１０４ａから照射された平行光と、第２の光照射部１０４ｂから照射された拡散光とが混合されて、光照射領域における光照射むらが低減されている。すなわち、本実施の形態の照明装置は、第１の実施の形態の照明装置と同様に、第１の光照射部１０４ａから出力された平行光の照射領域１０４Ａと、第２の光照射部１０４ｂから出力された拡散光の照射領域５０４Ｂとが重なって、光照射領域の全体における照度むらが低減されている。
【００４８】
上述のように、本実施の形態の照明装置は、複数の光照射部１０４の第１の光照射部１０４ａから放射された第１の光と、複数の光照射部１０４の第２の光照射部１０４ｂからし放射された第２の光とによって、光照射領域に対して照度むらを低減させた照明光を出力する。
【００４９】
（第６の実施の形態）図１４〜１６を用いて第６の実施の形態に係る照明装置について説明する。図１４は、第６の実施の形態に係る照明装置の平面図である。図１５は、図１４に示した照明装置のＸ−Ｘ’線における断面図である。図１６は、第６の実施の形態に係る照明装置の光照射領域を示す図である。
【００５０】
本実施の形態における照明装置は、基体１０１と、基体１０１に搭載された複数の発光ダイオード１０２と、複数の発光ダイオード１０２に対応して平面的に配置された複数の光放射部１０４を有する光反射部材１０３とを備えている。
【００５１】
本実施の形態の照明装置において、図２などに示した第１の実施の形態の照明装置の構成と異なる点は、複数の光照射部１０４が第３の部分１０４ｃをさらに備えていることである。第３の光照射部１０４ｃは、第１の光照射部１０４ａから放射される光および第２の光照射部１０４ｂから放射される光とは異なる第３の光を放射する。
【００５２】
図１５に示すように、第３の光照射部１０４ｃは、双曲面からなる第３の光反射面１０６ｃを備えている。図１６に示すように、第３の光照射部１０４ｃは、中央領域とこの中央領域より照度の強い外周領域を有する環状光を放射する。
【００５３】
図１４，１５に示した照明装置において、第１の光反射面１０６ａは鏡面であり、第２の光反射面１０６ｂおよび第３の光反射面１０６ｃは光散乱面である。すなわち、第２の光反射面１０６ｂの表面および第３の光反射面１０６ｃの表面は、第１の光反射面１０６ａの表面より粗い。図１４，１５に示した照明装置は、第２の光反射面１０６ｂおよび第３の光反射面１０６ｃが光散乱面であることにより、光照射領域における照度むらが低減されている。
【００５４】
本実施の形態の照明装置は、第１の光照射部１０４ａから照射された平行光と、第２の光照射部１０４ｂおよび第３の光照射部１０４ｃから照射された環状光とが混合されて、光照射領域における光照射むらが低減されている。すなわち、本実施の形態の照明装置は、図１６に示すように、第１の光照射部１０４ａから出力された平行光の照射領域１０４Ａと、第２の光照射部１０４ｂから出力された環状光の照射領域１０４Ｂと、第３の光照射部１０４ｃから出力された環状光の照射領域１０４Ｃとが重なって、光照射領域の全体における照度むらが低減されている。
【００５５】
上述のように、本実施の形態の照明装置は、複数の光照射部１０４の第１の光照射部１０４ａから放射された第１の光と、複数の光照射部１０４の第２の光照射部１０４ｂから放射された第２の光と、第３の光照射部１０４ｃから放射された第３の光とによって、光照射領域に対して照度むらを低減させた照明光を出力する。
【図面の簡単な説明】
【００５６】
【図１】本発明の第１の実施の形態の構成を示す分解斜視図である。
【図２】第１の実施の形態に係る照明装置の平面図である。
【図３】図２に示した照明装置のＸ−Ｘ’線における断面図である。
【図４】第１の実施の形態に係る照明装置の光照射領域を示す図である。
【図５】第１の光照射部１０４ｂによる光照射領域を示す図である。
【図６】発光ダイオード１０２の構成を示す断面図である。
【図７】本発明の第２の実施の形態の構成を示す断面図である。
【図８】第２の実施の形態に係る照明装置の光照射領域を示す図である。
【図９】本発明の第３の実施の形態の構成を示す断面図である。
【図１０】本発明の第３の実施の形態における基体１０１の構成を示す斜視図である。
【図１１】本発明の第４の実施の形態の構成を示す断面図である。
【図１２】本発明の第５の実施の形態の構成を示す断面図である。
【図１３】第５の実施の形態に係る照明装置の光照射領域を示す図である。
【図１４】第６の実施の形態に係る照明装置の平面図である。
【図１５】図１４に示した照明装置のＸ−Ｘ’線における断面図である。
【図１６】第６の実施の形態に係る照明装置の光照射領域を示す図である。
【符号の説明】
【００５７】
１０１  基体
１０２  発光ダイオード
１０３  光反射部材
１０４  光照射部
１０４ａ  第１の光照射部
１０４ｂ  第２の光照射部
１０５  電源線
１０６ａ  第１の光反射面
１０６ｂ  第２の光反射面
【図１】
2008153157.tif 000003
【図２】
2008153157.tif 000004
【図３】
2008153157.tif 000005
【図４】
2008153157.tif 000006
【図５】
2008153157.tif 000007
【図６】
2008153157.tif 000008
【図７】
2008153157.tif 000009
【図８】
2008153157.tif 000010
【図９】
2008153157.tif 000011
【図１０】
2008153157.tif 000012
【図１１】
2008153157.tif 000013
【図１２】
2008153157.tif 000014
【図１３】
2008153157.tif 000015
【図１４】
2008153157.tif 000016
【図１５】
2008153157.tif 000017
【図１６】
2008153157.tif 000018